(57)【要約】【課題】コアに設けられた永久磁石の不可逆減磁を抑制しつつ、生産性を確保することのできるコアの製造装置を提供する。【解決手段】このロータコア１の製造装置では、ロータコア１の磁石挿入孔１０に配置された着磁前の磁石素材を着磁装置３を通じて着磁することにより着磁前の磁石素材を永久磁石２とする着磁装置３と、着磁装置３からロータコア１を取り外す取り外し装置８０とを備える。取り外し装置８０は、着磁装置３からロータコア１を取り外した際にロータコア１の周囲に治具７を装着する装着装置としても機能する。【選択図】図５
2015139248.tif 000002
【特許請求の範囲】
【請求項１】
永久磁石が設けられたコアの製造装置であって、
前記コアに設けられた着磁前の磁石素材を着磁することにより前記着磁前の磁石素材を永久磁石とする着磁装置と、
前記着磁装置から前記コアを取り外す取り外し装置と、
磁性体又は電磁石からなる治具を前記コアに装着する装着装置と、を備え、
前記着磁装置から取り外された前記コアの周囲に前記治具が装着されていることを特徴とするコアの製造装置。
【請求項２】
請求項１に記載のコアの製造装置において、
前記装着装置は、前記取り外し装置を通じて前記着磁装置から取り外された前記コアに前記治具を装着することを特徴とするコアの製造装置。
【請求項３】
請求項１に記載のコアの製造装置において、
前記治具は軟磁性体からなり、
前記装着装置は、前記磁石素材の着磁が行われる前の前記コアに前記治具を装着し、
前記取り外し装置は、前記コアを前記治具と共に前記着磁装置から取り外すことを特徴とするコアの製造装置。
【請求項４】
請求項３に記載のコアの製造装置において、
前記コアは、円筒状に形成されるとともに、その外周部分に前記永久磁石により周方向に沿って等角度間隔を隔てて異なる磁極を交互に有するものであり、
前記治具は、前記周方向に前記等角度間隔を隔てて磁気障壁を有し、
前記装着装置は、前記コアにおける周方向に隣り合う異なる磁極間の境界線上に対応する位置に前記磁気障壁が配置されるように前記コアに前記治具を装着し、
前記取り外し装置は、前記磁気障壁を前記磁極間の境界線上に対応する位置から除いた後に、前記コアを前記治具と共に前記着磁装置から取り外すことを特徴とするコアの製造装置。
【請求項５】
請求項４に記載のコアの製造装置において、
前記取り外し装置は、前記治具を前記コアに対して相対回転させて前記磁気障壁の位置を前記磁極間の境界線上に対応する位置からずらすことにより、前記磁極間の境界線上に対応する位置から前記磁気障壁を除くことを特徴とするコアの製造装置。
【請求項６】
請求項５に記載のコアの製造装置において、
前記取り外し装置は、前記治具を前記コアに対して相対回転させて前記磁気障壁の位置を前記磁極間の境界線上に対応する位置からずらす際に、前記磁気障壁の位置を前記磁極の中央までずらすことを特徴とするコアの製造装置。
【請求項７】
請求項４〜６のいずれか一項に記載のコアの製造装置において、
前記治具は、前記コアの外径よりも大きい内径を有する円筒状の部材からなるとともに、軸方向に延びる空隙部が前記等角度間隔を隔てて形成され、
前記磁気障壁は、前記空隙部、又は前記空隙部に挿入される非磁性体からなることを特徴とするコアの製造装置。
【請求項８】
請求項４に記載のコアの製造装置において、
前記治具は、
前記コアの外径よりも大きい内径を有する円筒状の部材からなるとともに、前記磁気障壁として、軸方向の端面に開口する空隙部を有する第１治具と、
軟磁性体からなり、前記第１治具の軸方向の端面に形成された前記空隙部の開口部から前記空隙部の内部に挿入される第２治具と、からなり、
前記取り外し装置は、前記第２治具により前記第１治具の前記空隙部を塞ぐことにより、前記磁気障壁を前記磁極間の境界線上に対応する位置から除くことを特徴とするコアの製造装置。
【請求項９】
永久磁石が設けられたコアの製造方法であって、
前記コアに設けられた着磁前の磁石素材を着磁装置を通じて着磁することにより前記着磁前の磁石素材を永久磁石とする着磁工程と、
前記着磁工程を経た前記コアを前記着磁装置から取り外す取り外し工程と、
磁性体又は電磁石からなる治具を前記コアに装着する装着工程と、
前記コアに装着された前記治具により、前記取り外し工程を通じて前記着磁装置から取り外された前記コアの周囲の比透磁率が「１」よりも大きい状態を維持したまま前記コアを冷却する冷却工程と、を備えることを特徴とするコアの製造方法。
【発明の詳細な説明】
【技術分野】
【０００１】
本発明は、コアの製造装置及びコアの製造方法に関する。
【背景技術】
【０００２】
ロータの内部に界磁用の永久磁石を埋め込んだ構造からなるＩＰＭモータ（Interior Permanent Magnet Motor）が知られている。このＩＰＭモータに用いられるロータコアの製造方法としては、特許文献１に記載の製造方法が知られている。特許文献１の製造方法では、まず、複数の磁石挿入孔が形成された円筒状のロータコアを成形した後、その磁石挿入孔に着磁前の磁石素材を射出成形により充填する。その後、ロータコアの外周を覆うように着磁装置を配置し、着磁装置からロータコアに磁束を供給することにより、磁石挿入孔に配置された磁石素材を着磁する。これにより磁石素材が磁化されて永久磁石となり、永久磁石が埋め込まれたロータコアの製造が完了する。
【先行技術文献】
【特許文献】
【０００３】
【特許文献１】特許第４７２６１０５号公報
【発明の概要】
【発明が解決しようとする課題】
【０００４】
ところで、モータの界磁に使用される永久磁石（例えばネオジム磁石（Ｎｄ−Ｆｅ−Ｂ系磁石））は、その温度が高くなるほど、弱い外部界磁でも着磁が可能になるという特性を有している。そのため、着磁工程ではロータコアを高温状態にすることが有効である。しかしながら、ロータコアを高温状態に維持したまま着磁工程を行った場合、着磁装置からロータコアを取り外すタイミングによっては、ロータコアの永久磁石に不可逆減磁が生じるおそれがある。詳しくは以下の通りである。
【０００５】
ネオジム磁石等の永久磁石の磁化特性は、その温度に応じて例えば図２０に示すように変化する。図２０は、ネオジム磁石等の永久磁石の初期磁化曲線を「Ｃ１」、常温時のＢ−Ｈ曲線を「Ｃ２」、また高温時のＢ−Ｈ曲線を「Ｃ３」でそれぞれ示したものである。図２０の常温時Ｂ−Ｈ曲線Ｃ２及び高温時Ｂ−Ｈ曲線Ｃ３を比較して明らかなように、ネオジム磁石等の永久磁石は、その温度が上昇するほど、保磁力の絶対値が小さくなるとともに、屈曲点に対応する磁界の絶対値が小さくなるという特性を有している。そのため、ロータコアを着磁装置内で冷却した後に着磁装置からロータコアを取り外す場合と、着磁工程の完了したロータコアを高温状態のまま着磁装置から取り外す場合とでは、ロータコアの製造が完了した後の永久磁石の磁束密度が次のように異なる。
【０００６】
まず、着磁装置にロータコアが取り付けられたとき、着磁装置により形成される磁界によって、ロータコアの磁石素材の磁束密度が初磁化曲線Ｃ１に沿って「０」から増加する。この過程で磁石素材が磁化されて永久磁石となる。そして、永久磁石の磁化がほぼ飽和して永久磁石の着磁が完了すると、永久磁石の磁束密度は磁束密度Ｂｓ１に達する。その後、ロータコアを着磁装置内で一旦冷却した場合、図中に矢印ａ１で示すように、永久磁石のＢ−Ｈ曲線は高温時Ｂ−Ｈ曲線Ｃ３から常温時Ｂ−Ｈ曲線Ｃ２へと移行する。すなわち永久磁石の磁束密度は、高温時Ｂ−Ｈ曲線Ｃ３に対応した磁束密度Ｂｓ１から、常温時Ｂ−Ｈ曲線Ｃ２に対応した磁束密度Ｂｓ２へと増加する。その後、冷却の完了したロータコアが着磁装置から取り外されると、着磁装置から永久磁石に付与される磁界が消滅するため、図中に矢印ａ２で示すように、永久磁石の磁束密度は、常温時Ｂ−Ｈ曲線Ｃ２とパーミアンス直線Ｌ１との交点である動作点Ｐ１上の磁束密度Ｂｄ１まで変化する。このときの動作点Ｐ１は常温時Ｂ−Ｈ曲線Ｃ２の直線上に位置しているため、永久磁石に不可逆減磁は生じない。
【０００７】
これに対し、着磁工程の完了したロータコアを着磁装置内で冷却させずに着磁装置から取り外した場合、ロータコアが高温状態のまま着磁装置から取り外されることとなる。そのため、永久磁石の磁束密度は、図中に矢印ｂで示すように、高温時Ｂ−Ｈ曲線Ｃ３に沿って変化する。すなわち、永久磁石の磁束密度は高温時Ｂ−Ｈ曲線Ｃ３とパーミアンス直線Ｌ１との交点である動作点Ｐ２上の磁束密度Ｂｄ２まで変化する。このときの動作点Ｐ２は高温時Ｂ−Ｈ曲線Ｃ３の屈曲点Ｐｃｎよりも低い位置となる。この場合、永久磁石が常温まで冷却されたとき、永久磁石の動作点は「Ｐ２」から「Ｐ３」への変化に止まる。すなわち、永久磁石の磁束密度は、ロータコアを着磁装置内で冷却する場合と比較すると、動作点Ｐ１に対応する磁束密度Ｂｄ１と、動作点Ｐ３に対応する磁束密度Ｂｄ３との差分ΔＢｄだけ減磁することになる。このような不可逆減磁が永久磁石に生じると、ステータコイルに鎖交する有効磁束量の減少を招き、モータの出力トルクが低下してしまう。
【０００８】
ところで、こうした不可逆減磁を回避するためには、着磁装置にロータコアを装着したまま永久磁石の冷却を行うことが有効である。しかしながら、このような方法を用いた場合、永久磁石の冷却を行っている間は着磁装置を使用することができないため、着磁装置のサイクルタイムが大幅に増加する。その結果、生産性が悪化してしまう。
【０００９】
なお、このような課題は、永久磁石が埋め込まれたロータコアの製造に限らず、永久磁石が設けられたステータコア等の適宜のコアを製造する際にも共通する課題である。
本発明は、こうした実情に鑑みてなされたものであり、その目的は、コアに設けられた永久磁石の不可逆減磁を抑制しつつ、生産性を確保することのできるコアの製造装置及び製造方法を提供することにある。
【課題を解決するための手段】
【００１０】
上記課題を解決するために、永久磁石が設けられたコアの製造装置において、前記コアに設けられた着磁前の磁石素材を着磁することにより前記着磁前の磁石素材を永久磁石とする着磁装置と、前記着磁装置から前記コアを取り外す取り外し装置と、磁性体又は電磁石からなる治具を前記コアに装着する装着装置と、を備え、前記着磁装置から取り外された前記コアの周囲に前記治具が装着されていることとした。
【００１１】
また、上記課題を解決するために、永久磁石が設けられたコアの製造方法において、前記コアに設けられた着磁前の磁石素材を着磁装置を通じて着磁することにより前記着磁前の磁石素材を永久磁石とする着磁工程と、前記着磁工程を経た前記コアを前記着磁装置から取り外す取り外し工程と、磁性体又は電磁石からなる治具を前記コアに装着する装着工程と、前記コアに装着された前記治具により、前記取り外し工程を通じて前記着磁装置から取り外された前記コアの周囲の比透磁率が「１」よりも大きい状態を維持したまま前記コアを冷却する冷却工程と、を備えることとした。
【００１２】
これらのコアの製造装置及び製造方法によれば、着磁装置からコアが取り外されたとき、コアに装着された治具によりコアの周囲の比透磁率を「１」よりも大きい状態を維持したままコアを冷却することができる。これにより、治具を装着せずにコアを雰囲気中で冷却する場合と比較すると、コアにおいて永久磁石により形成される磁気回路の磁気抵抗が低下するため、永久磁石のパーミアンス係数を増加させることができる。その結果、図２０に示すように、冷却時の永久磁石のパーミアンス直線は、治具を装着せずにコアを冷却する場合に対応する直線Ｌ１よりも傾きの絶対値が大きい直線Ｌ２となる。これにより、永久磁石の動作点を高温時Ｂ−Ｈ曲線Ｃ３の屈曲点Ｐｃｎよりも高い点Ｐ４に位置させた状態で永久磁石を冷却することができるため、永久磁石に生じる不可逆減磁を抑制することができる。
【００１３】
また、上記のようなコアの製造装置及び製造方法によれば、着磁装置からコアを取り外した後にコアの冷却が行われるため、コアの冷却が行われている間も着磁装置の使用が可能である。これにより、着磁装置にコアを取り付けたままコアの冷却を行う場合と比較すると、着磁装置のサイクルタイムを短縮することができるため、生産性を確保することができる。
【００１４】
上記コアの製造装置について、前記装着装置は、前記取り外し装置を通じて前記着磁装置から取り外された前記コアに前記治具を装着することが好ましい。
あるいは、上記コアの製造装置について、前記治具は軟磁性体からなり、前記装着装置は、前記磁石素材の着磁が行われる前の前記コアに前記治具を装着し、前記取り外し装置は、前記コアを前記治具と共に前記着磁装置から取り外すことが好ましい。
【００１５】
これらの構成によれば、コアに対する治具の装着を容易に行うことができる。
ところで、磁石素材の着磁が行われる前のコアに治具を装着する場合、着磁工程は、治具が装着されたコアに対して行われることになる。コアに治具が装着されている場合、着磁装置において異なる磁極間を短絡するような磁路が治具を介して形成される。このような磁路は、着磁装置から磁石素材に磁束を供給する際に漏れ磁束を生じさせる要因となり、永久磁石の着磁率が低下するおそれがある。
【００１６】
そこで、上記コアの製造装置について、前記コアは、円筒状に形成されるとともに、その外周部分に前記永久磁石により周方向に沿って等角度間隔を隔てて異なる磁極を交互に有するものであり、前記治具は、前記周方向に前記等角度間隔を隔てて磁気障壁を有し、前記装着装置は、前記コアにおける周方向に隣り合う異なる磁極間の境界線上に対応する位置に前記磁気障壁が配置されるように前記コアに前記治具を装着し、前記取り外し装置は、前記磁気障壁を前記磁極間の境界線上に対応する位置から除いた後に、前記コアを前記治具と共に前記着磁装置から取り外すことが好ましい。
【００１７】
この構成のように、コアに治具を装着する際にコアの磁極間の境界線上に対応する位置に磁気障壁を位置させれば、上記のような着磁装置における異なる磁極間を短絡するような磁路が治具を介して形成されるのを抑制することができる。これにより、磁石素材を着磁する際の漏れ磁束が抑制され、磁石素材（永久磁石）の着磁率を向上させることができる。
【００１８】
また、着磁装置からコアが取り外された際には、コアの磁極間の境界線上に対応する位置から磁気障壁が除かれるため、上記のようなコアにおいて周方向に隣り合う異なる磁極間を短絡するような磁路が形成され易くなる。その結果、コアの周囲の比透磁率が「１」よりも大きい状態を的確に確保することができる。
【００１９】
上記コアの製造装置について、前記取り外し装置は、前記治具を前記コアに対して相対回転させて前記磁気障壁の位置を前記磁極間の境界線上に対応する位置からずらすことにより、前記磁極間の境界線上に対応する位置から前記磁気障壁を除くことが好ましい。
【００２０】
この構成によれば、コアの磁極間の境界線上に対応する位置から磁気障壁を容易に取り除くことができる。
そして、上記コアの製造装置について、前記取り外し装置は、前記治具を前記コアに対して相対回転させて前記磁気障壁の位置を前記磁極間の境界線上に対応する位置からずらす際に、前記磁気障壁の位置を前記磁極の中央までずらすことが好ましい。
【００２１】
この構成によれば、コアにおいて周方向に隣り合う異なる磁極間を短絡するような磁路がより形成され易くなるため、コアの周囲の比透磁率が「１」よりも大きい状態をより的確に確保することができる。
【００２２】
上記コアの製造装置について、前記治具は、前記コアの外径よりも大きい内径を有する円筒状の部材からなるとともに、軸方向に延びる空隙部が前記等角度間隔を隔てて形成され、前記磁気障壁は、前記空隙部、又は前記空隙部に挿入される非磁性体からなることが好ましい。
【００２３】
この構成によれば、磁気障壁の設けられた治具を容易に成形することができる。
また、上記コアの製造装置について、前記治具は、前記コアの外径よりも大きい内径を有する円筒状の部材からなるとともに、前記磁気障壁として、軸方向の端面に開口する空隙部を有する第１治具と、軟磁性体からなり、前記第１治具の軸方向の端面に形成された前記空隙部の開口部から前記空隙部の内部に挿入される第２治具と、からなり、前記取り外し装置は、前記第２治具により前記第１治具の前記空隙部を塞ぐことにより、前記磁気障壁を前記磁極間の境界線上に対応する位置から除くことが好ましい。
【００２４】
このような構成であっても、コアの磁極間の境界線上に対応する位置から磁気障壁を容易に取り除くことができる。
【発明の効果】
【００２５】
これらのコアの製造装置及び製造方法によれば、コアに設けられた永久磁石の不可逆減磁を抑制しつつ、生産性を確保することができる。
【図面の簡単な説明】
【００２６】
【図１】ロータコアの斜視構造を示す斜視図。
【図２】ロータコアの製造装置及び製造方法の第１実施形態について着磁装置にロータコアが取り付けられる工程を示す斜視図。
【図３】第１実施形態について射出機の斜視構造を示す斜視図。
【図４】第１実施形態についてロータコアが取り付けられた着磁装置の平面構造を示す平面図。
【図５】第１実施形態について着磁装置からロータコアが取り出される工程、及びロータコアが治具に装着される工程を示す断面図。
【図６】第１実施形態についてロータコアに装着される治具の斜視構造を示す斜視図。
【図７】第１実施形態について治具が装着されたロータコアの斜視構造を示す斜視図。
【図８】第１実施形態について治具が装着されたロータコアの平面構造を示す平面図。
【図９】第１実施形態について着磁工程及び冷却工程におけるロータコアの永久磁石の初期磁化曲線Ｃ１、常温時Ｂ−Ｈ曲線Ｃ２、高温時Ｂ−Ｈ曲線Ｃ３、及びパーミアンス直線Ｌ１，Ｌ２をそれぞれ示すグラフ。
【図１０】ロータコアの製造装置及び製造方法の第２実施形態について治具の斜視構造を示す斜視図。
【図１１】第２実施形態について装着装置により治具がロータコアに装着される工程を示す斜視図。
【図１２】第２実施形態についてロータコアが治具と共に着磁装置に取り付けられる工程を示す斜視図。
【図１３】第２実施形態についてロータコアが治具と共に装着装置から取り外される工程を示す斜視図。
【図１４】第２実施形態についてロータコア及び治具が取り付けられた着磁装置の平面構造を示す平面図。
【図１５】第２実施形態について治具が装着されたロータコアの平面構造を示す平面図。
【図１６】ロータコアの製造装置及び製造方法の第３実施形態について第１治具及び第２治具のそれぞれの斜視構造を示す斜視図。
【図１７】第３実施形態についてロータコアが第１治具及び第２治具と共に着磁装置から取り出される工程を示す斜視図。
【図１８】ロータコアの製造装置及び製造方法の他の実施形態についてロータコア、及び治具を構成する一対の円盤部材の斜視構造を示す斜視図。
【図１９】他の実施形態について一対の円盤部材が取り付けられたロータコアの側面構造を示す側面図。
【図２０】従来のロータコアの製造方法について着磁工程及び冷却工程におけるロータコアの永久磁石の初期磁化曲線Ｃ１、常温時Ｂ−Ｈ曲線Ｃ２、高温時Ｂ−Ｈ曲線Ｃ３、及びパーミアンス直線Ｌ１，Ｌ２をそれぞれ示すグラフ。
【発明を実施するための形態】
【００２７】
＜第１実施形態＞
以下、永久磁石が埋め込まれたロータコアの製造装置及び製造方法の第１実施形態について説明する。はじめに、ロータコアの構造について説明する。本実施形態のロータコアは、同期モータに用いられ、円筒状のステータの内部に配置される、いわゆるインナロータである。
【００２８】
図１に示すように、ロータコア１は、軸線ｍ１を中心に円筒状に形成されている。ロータコア１は、軸方向に電磁鋼板が複数積層された構造からなる。ロータコア１には、その軸方向に貫通する複数の磁石挿入孔１０が周方向に等角度間隔で形成されている。各磁石挿入孔１０は、ロータコア軸方向に直交する断面形状がロータコアの外周側に向かって開くＵ字状をなしている。各磁石挿入孔１０には永久磁石２が配置されている。永久磁石２は、ネオジム磁石（Ｎｄ−Ｆｅ−Ｂ系磁石）等により構成されるボンド磁石からなり、Ｕ字の内側の部分及び外側の部分に異なる磁極をそれぞれ有している。ロータコア１には、Ｕ字の内側の部分にＮ極を有する永久磁石２と、Ｕ字の内側の部分にＳ極を有する永久磁石２とが周方向に交互に配置されている。これにより、ロータコア１は、その外周部分に周方向に沿ってＮ極及びＳ極を交互に有する１０極構造をなしている。
【００２９】
次に、このロータコア１の製造装置及び製造方法について説明する。
本実施形態のロータコア１の製造に際しては、まず、Ｕ字状の磁石挿入孔１０が周方向に等角度間隔で形成された電磁鋼板を軸方向に複数積層することによりロータコア１の基本構造が成形される。次に、ヒータ装置（図示略）を通じてロータコア１を加熱する工程が行われた後、図２に示すように、加熱されたロータコア１を着磁装置３に取り付ける工程が行われる。
【００３０】
着磁装置３は、軸線ｍ２を中心とする周方向に交互に配置された永久磁石３０及び着磁ヨーク３１をそれぞれ複数備えており、それらが組み付け部材（図示略）により円環状に一体的に組み付けられた構造からなる。各永久磁石３０は、軸線ｍ２を中心とする周方向の幅が径方向外側に向かうほど大きくなるように形成されるとともに、周方向の両側部に異なる磁極を有している。また、各永久磁石３０は、軸線ｍ２を中心とする周方向に隣り合うもの同士が同磁極同士で対向するように配置されている。着磁ヨーク３１は、各永久磁石３０の同磁極同士で対向する部分に挟まれるように配置されている。加熱工程を通じて加熱されたロータコア１は、搬送装置（図示略）によって着磁装置３の中央部に形成された挿入孔３２に挿入される。このとき、磁石挿入孔１０のＵ字の内側の部分が着磁ヨーク３１の内周部分に対向するとともに、ロータコア周方向に隣接する磁石挿入孔１０，１０の境界部分が永久磁石３０の内周部分に対向する。以上により、着磁装置３へのロータコア１の取り付けが完了する。
【００３１】
次に、図３に示すように、ロータコア１の上面に金型４が設置された後、射出機５から着磁前の磁石素材が金型４を介してロータコア１の磁石挿入孔１０に射出される。磁石素材は、着磁前のネオジム磁石等の磁石粉をプラスチック樹脂と混合して成型固化したものである。
【００３２】
詳しくは、射出機５は投入部５０を有しており、この投入部５０に磁石素材ペレット５１が挿入される。磁石素材ペレット５１は、磁石素材を粒状化したものである。射出機５は、投入部５０に投入される磁石素材ペレット５１を加熱溶融し、金型４の注入口４０に射出する。金型４には、注入口４０からロータコア１の各磁石挿入孔１０まで延びる通路が形成されている。したがって、射出機５から金型４の注入口４０に射出された高温状態の磁石素材は、金型４の内部通路を通じてロータコア１の各磁石挿入孔１０へと射出成形される。
【００３３】
なお、ロータコア１は加熱工程を通じて予め加熱されているため、ロータコア１の磁石挿入孔１０に流入した磁石素材は高温状態に維持される。これにより磁石素材の流動性が確保され、磁石挿入孔１０に磁石素材を容易に埋め込むことが可能となっている。
【００３４】
そして、図４に示すように、ロータコア１の磁石挿入孔１０に埋め込まれた磁石素材６には、着磁装置３により図中に矢印で示すような磁束が付与される。すなわち永久磁石３０から発生する磁束が、「永久磁石３０のＮ極に隣接する着磁ヨーク３１→ロータコア１→磁石素材６→ロータコア１→永久磁石３０のＳ極に隣接する着磁ヨーク３１」の順に通過する。これにより磁石素材６には、Ｕ字の外側から内側に向かう方向の磁路、あるいはＵ字の内側から外側に向かう磁路が形成される。こうした磁路により、ロータコア１に埋め込まれた磁石素材６は、Ｕ字の内側がＮ極となるように、あるいはＵ字の内側がＳ極となるように着磁される。このように本実施形態の製造装置及び製造方法では、ロータコア１の磁石挿入孔１０に磁石素材６を射出成形する工程と、磁石挿入孔１０に埋め込まれた磁石素材６を着磁する工程とがほぼ同時に行われる。
【００３５】
ところで、本実施形態のように磁石素材６がネオジム磁石等からなる場合、磁石素材６は、温度が高くなるほど、着磁し易くなるという特性を有している。この点、本実施形態の製造装置及び製造方法では、加熱工程を通じて加熱されたロータコア１に磁石素材６が射出成形されるため、磁石素材６を高温状態に維持したまま着磁することができる。そのため、着磁後の永久磁石２の磁束密度を増加させることが可能である。
【００３６】
次に、図５に示すように、着磁装置３からロータコア１を取り外す取り外し工程と、ロータコア１に治具７を装着する装着工程とが同時に行われる。図６に示すように、治具７は円筒状の軟磁性体からなる。治具７の内径は、ロータコア１の外径よりも若干大きく設定されている。また治具７の軸方向の長さは、ロータコア１の軸方向の長さ以上に設定されている。
【００３７】
磁石挿入孔１０への永久磁石２の射出成形、及び永久磁石２の着磁が完了すると、ロータコア１は即座に着磁装置３から取り外される。したがってロータコア１は、高温状態（磁気回路の特性をＢ−Ｈ曲線で表した場合に屈曲点が第２象限にくる温度、本実施形態では１５０℃程度）のまま着磁装置３から取り外されることとなる。この取り外し工程では、図５に示すように、まず、着磁装置３の挿入孔３２と同軸上となるように治具７が着磁装置３の上面に設置される。その後、着磁装置３に取り付けられたロータコア１の底面が取り外し装置８０により押し上げられることにより、ロータコア１が治具７の内部へと移動する。このように本実施形態の取り外し装置８０は、ロータコア１の外周に治具７を装着する装着装置としての機能も有している。そして、治具７の内部にロータコア１の全体が収容されると、ロータコア１は治具７と共に搬送装置（図示略）により冷却ラインに運ばれる。冷却ラインでは、図７に示すように、ロータコア１の外周に治具７が装着されたまま、ロータコア１が冷却される。そしてロータコア１の冷却が完了した後、ロータコア１から治具７を取り外すことにより、ロータコア１の製造が完了する。
【００３８】
次に、本実施形態のロータコア１の製造装置及び製造方法による作用及び効果を説明する。
（１）図７に示すように、着磁装置３から取り外されたロータコア１の外周に磁性体からなる治具７を装着すれば、ロータコア１の周囲の比透磁率が「１」よりも大きい状態を維持したままロータコア１を冷却することができる。これにより、図８に矢印で示すように、ロータコア１の周囲には、周方向に隣り合う永久磁石２，２のそれぞれの異なる磁極間を短絡するような磁路が治具７を介して形成され易くなる。そのため、治具７を装着せずにロータコア１を雰囲気中で冷却する場合と比較すると、ロータコア１において永久磁石２により形成される磁気回路の磁気抵抗が低下するため、永久磁石２のパーミアンス係数を大きくすることができる。したがって、図９に示すように、冷却時の永久磁石２のパーミアンス直線は、治具７を装着せずにロータコア１を冷却した場合に対応する直線Ｌ１よりも傾きの絶対値が大きい直線Ｌ２となる。その結果、本実施形態の永久磁石２の磁束密度及び動作点は図中に矢印で示すように変化する。
【００３９】
詳しくは、ロータコア１が高温状態のまま着磁装置３から取り外されたとき、着磁装置３から永久磁石２に付与される着磁方向の磁界が減少するため、永久磁石２の磁束密度は、図９に示す磁束密度Ｂｓ１から高温時Ｂ−Ｈ曲線Ｃ３に沿って減少する。そして着磁装置３から取り外されたロータコア１に治具７が装着されると、永久磁石２の動作点は、高温時Ｂ−Ｈ曲線Ｃ３とパーミアンス直線Ｌ２との交点Ｐ１０に位置する。すなわち永久磁石２の動作点Ｐ１０は高温時Ｂ−Ｈ曲線Ｃ３の屈曲点Ｐｃｎよりも高い位置となる。その後、冷却工程を通じて治具７が装着されたままロータコア１が常温まで冷却されると、永久磁石２の動作点は、パーミアンス直線Ｌ２と常温時Ｂ−Ｈ曲線Ｃ２との交点Ｐ１１へと変化する。その後、ロータコア１から治具７が取り外されると、永久磁石２のパーミアンス係数が減少し、永久磁石２の動作点は、パーミアンス直線Ｌ１と常温時Ｂ−Ｈ曲線Ｃ２との交点Ｐ１２へと変化する。したがって、図２０に示した減磁量ΔＢｄに相当する不可逆減磁を抑制することができる。
【００４０】
（２）図５及び図７に示すように、着磁装置３からロータコア１を取り外した後にロータコア１の冷却を行えば、ロータコア１を冷却している間も着磁装置３を使用することができる。これにより、着磁装置３にロータコア１を取り付けたままロータコア１の冷却を行う場合と比較すると、着磁装置３のサイクルタイムを短縮することができるため、生産性を確保することができる。
【００４１】
（３）図５に示すように、着磁装置３から取り外されたロータコア１に治具７を装着すれば、ロータコア１に対する治具７の装着を容易に行うことができる。
＜第２実施形態＞
次に、ロータコアの製造装置及び製造方法の第２実施形態について説明する。以下、第１実施形態との相違点を中心に説明する。
【００４２】
図１０に示すように、本実施形態の治具７には、軸方向に貫通する複数の空隙部７０が周方向に等角度間隔を隔てて形成されている。各空隙部７０には、非磁性体からなる磁気障壁部材７１が埋め込まれている。
【００４３】
本実施形態のロータコア１の製造に際しては、ロータコア１を加熱する工程が行われた後、図１１に二点鎖線で示すように、装着装置８１によりロータコア１の外周に治具７を装着する装着工程が行われる。このとき、ロータコア１における周方向に隣り合う異なる磁極間の境界線ｎ上に対応する位置に磁気障壁部材７１が配置されるように治具７がロータコア１に装着される。次に、図１２に示すように、搬送装置（図示略）によりロータコア１が治具７と共に着磁装置３の挿入孔３２内に挿入された後、図３に例示した磁石素材の射出成形工程、及び図４に例示した永久磁石の着磁工程が行われる。その後、図１３に示すように、取り外し装置８０により着磁装置３からロータコア１が治具７と共に取り外される。この取り外し工程では、まず、取り外し装置８０により治具７をロータコア１に対して相対回転させることにより、磁気障壁部材７１をロータコア１の磁極の中央に位置させる。その後、図１３に示すようにロータコア１及び治具７のそれぞれの底面が取り外し装置８０により押し上げられることにより、着磁装置３からロータコア１及び治具７が一体的に取り外される。そして、ロータコア１及び治具７は搬送装置（図示略）により冷却ラインへと運ばれる。冷却ラインでは、ロータコア１の外周に治具７が装着された状態のまま、ロータコア１が冷却される。そして、ロータコア１の冷却が完了した後、ロータコア１から治具７が取り外されることにより、ロータコア１の製造が完了する。
【００４４】
次に、本実施形態のロータコア１の製造装置及び製造方法による作用及び効果を説明する。
（４）図１４に示すように、着磁工程の際、ロータコア１における周方向に隣り合う異なる磁極間の境界線ｎ上に対応する位置に磁気障壁部材７１を配置させれば、着磁装置３における周方向に隣り合う異なる磁極間を短絡するような磁路が治具７を介して形成されるのを抑制することができる。これにより、磁石素材６を着磁する際の漏れ磁束が抑制され、磁石素材６（永久磁石２）の着磁率を向上させることができる。
【００４５】
（５）図１５に示すように、ロータコア１の冷却の際、磁気障壁部材７１をロータコア１の磁極の中央に位置させれば、ロータコア１の周囲には、図中に矢印で示すような磁路、すなわち周方向に隣り合う永久磁石２，２のそれぞれの異なる磁極間を短絡するような磁路が治具７を介して形成され易くなる。そのため、ロータコア１の周囲の比透磁率が「１」よりも大きい状態を的確に確保することができる。これにより第１実施形態による（１）の効果に準じた効果が奏されるため、永久磁石２の不可逆減磁を抑制することができる。
【００４６】
（６）図１１及び図１２に示すように着磁工程が行われる前のロータコア１に治具７を装着すれば、ロータコア１に対する治具７の装着を容易に行うことができる。
（７）本実施形態の製造装置及び製造方法は、着磁装置３からロータコア１を取り外した後にロータコア１の冷却を行う点は第１実施形態と同様であるため、第１実施形態による（２）の効果に準じた効果を得ることができる。
【００４７】
＜第３実施形態＞
次に、ロータコアの製造装置及び製造方法の第３実施形態について説明する。以下、第２実施形態との相違点を中心に説明する。
【００４８】
図１６に示すように、本実施形態の治具７も、軸方向に貫通する複数の空隙部７０が周方向に等角度間隔を隔てて形成されている。但し、各空隙部７０に磁気障壁部材７１が埋め込まれていない点で第２実施形態と異なる。なお、以下では、便宜上、治具７を「第１治具」と称する。
【００４９】
また本実施形態では、第１治具７とは別に第２治具９が用いられる。第２治具９は軟磁性体からなり、円環部９０、及び円環部９０の軸方向の端面に等角度間隔を隔てて形成される円柱状の複数のピン９１を有している。各ピン９１の外径は、第１治具７の空隙部７０の内径と略同等の大きさに設定され、各ピン９１の軸方向の長さは、第１治具７の空隙部７０の軸方向の長さと略同等の長さに設定されている。これらのピン９１を、第１治具７の軸方向の端面に形成された開口部から各空隙部７０の内部に挿入して第２治具９を第１治具７に装着することにより、第１治具７の全ての空隙部７０をピン９１により塞ぐことが可能となっている。
【００５０】
本実施形態のロータコア１の製造に際しては、第２実施形態と同様に、ロータコア１への第１治具７の装着、及び着磁装置３へのロータコア１の装着が行われる。すなわち図１１に示すように、ロータコア１における周方向に隣り合う異なる磁極間の境界線ｎ上に対応する位置に空隙部７０が配置されるように第１治具７がロータコア１に装着される。また、図１２に示すように、搬送装置（図示略）によりロータコア１が第１治具７と共に着磁装置３の挿入孔３２内に挿入される。その後、図３に例示した磁石素材の射出成形工程、及び図４に例示した永久磁石の着磁工程が行われる。続いて、図１７に示すように第１治具７に第２治具９が装着された後、ロータコア１が第１治具７及び第２治具９と共に取り外し装置８０により押し上げられることにより、着磁装置３からロータコア１、第１治具７、及び第２治具９が一体的に取り外される。そして、ロータコア１は第１治具７及び第２治具９と共に搬送装置（図示略）により冷却ラインへと運ばれる。冷却ラインでは、ロータコア１の外周に第１治具７が装着され、且つ、第１治具７に第２治具９が装着された状態のまま、ロータコア１が冷却される。そして、ロータコア１の冷却が完了した後、ロータコア１から第１治具７及び第２治具９が取り外されることにより、ロータコア１の製造が完了する。
【００５１】
次に、本実施形態のロータコア１の製造装置及び製造方法による作用及び効果を説明する。
（８）着磁工程の際、ロータコア１における周方向に隣り合う異なる磁極間の境界線ｎ上に対応する位置に空隙部７０を配置させれば、この空隙部７０が磁気障壁となり、着磁装置３における周方向に隣り合う異なる磁極間を短絡するような磁路が治具７を介して形成されるのを抑制することができる。そのため、第２実施形態による（４）の効果に準じた効果を得ることができる。
【００５２】
（９）ロータコア１の冷却の際、第１治具７の空隙部７０を第２治具９のピン９１により塞げば、第１治具７における磁気障壁が排除されるため、ロータコア１の周囲には、周方向に隣り合う永久磁石２，２のそれぞれの異なる磁極間を短絡するような磁路が第１治具７を介して形成され易くなる。したがって、第２実施形態による（５）に準じた効果を得ることができる。
【００５３】
（１０）着磁工程が行われる前のロータコア１に第１治具７を装着すれば、ロータコア１に対する治具７の装着を容易に行うことができる。
（１１）本実施形態の製造装置及び製造方法は、着磁装置３からロータコア１を取り外した後にロータコア１の冷却を行う点は第１実施形態と同様であるため、第１実施形態による（２）の効果に準じた効果を得ることができる。
【００５４】
＜他の実施形態＞
なお、上記各実施形態は、以下の形態にて実施することもできる。
・第１実施形態では、治具７を軟磁性体により構成したが、治具７は、ロータコア１における周方向に隣り合う永久磁石２，２のそれぞれ異なる磁極間を短絡するような磁路を形成するものであれば、例えば永久磁石や電磁石等により構成してもよい。また、治具７を、例えば軟磁性体、永久磁石、及び電磁石のうちの複数を組み合わせて構成してもよい。
【００５５】
・第１実施形態では、ロータコア１に装着される治具７を円筒状に形成したが、治具７の形状は適宜変更可能である。図１８に示すように、治具７として、例えばロータコア１の軸方向の両端面をそれぞれ覆うことが可能な一対の円盤部材７２ａ，７２ｂを用いてもよい。図１９に示すように、これらの円盤部材７２ａ，７２ｂをロータコア１の両端面にそれぞれ当接させれば、ロータコア１における周方向に隣り合う永久磁石２，２のそれぞれの異なる磁極間を短絡するような磁路が円盤部材７２ａ，７２ｂを介して形成されるため、第１実施形態の治具７と同様の効果を得ることが可能である。また同様の構造を第２実施形態及び第３実施形態で用いてもよい。
【００５６】
・第２実施形態では、治具７の空隙部７０に磁気障壁部材７１を埋め込むこととしたが、磁気障壁部材７１の埋め込まれていない空隙部７０を磁気障壁として用いてもよい。
・第２実施形態では、ロータコア１の冷却時に磁気障壁部材７１をロータコア１の磁極の中央に位置させたが、磁気障壁部材７１の位置は、ロータコア１における周方向に隣り合う異なる磁極間の境界線ｎ上からずれた位置であれば、任意の位置に変更可能である。
【００５７】
・第２実施形態及び第３実施形態の治具７に形成された空隙部７０の形状としては、治具７を軸方向に貫通する形状に限らず、例えば治具７の軸方向の両端面のうちのいずれか一方においてのみ開口する形状等、適宜の形状を採用することができる。なお、第３実施形態において第１治具７の空隙部７０の形状を変更した場合には、それに併せて、第２治具９の形状を変更する。
【００５８】
・各実施形態のロータコア１は電磁鋼板からなるものであったが、ロータコア１の材質として、例えば電磁軟鉄等の軟磁性体を用いてもよい。
・各実施形態では、ロータコア１に用いられる永久磁石２としてボンド磁石を用いたが、例えば焼結磁石や圧縮成形磁石等を用いてもよい。
【００５９】
・各実施形態のロータコア１に埋め込まれた永久磁石２は、ロータコア軸方向に直交する断面形状が略Ｕ字状をなすものであったが、永久磁石２の形状はこれに限定されない。永久磁石２は、例えばロータコア軸方向に直交する断面形状が直線状やＶ字状、コ字状をなすものであってもよい。
【００６０】
・各実施形態のロータコア１は、１０極構造からなるものであったが、ロータコア１の磁極数には限定はなく、適宜変更してもよい。
・各実施形態のロータコア１は、永久磁石２が埋め込まれた構造からなるものであったが、ロータコア１の構造はこれに限定されない。ロータコア１は、例えばその外周面に永久磁石が貼り付けられた構造からなるものであってもよい。
【００６１】
・各実施形態の取り外し装置８０の構造は、着磁装置３からロータコア１を取り外すことが可能であれば、適宜変更可能である。また、装着装置８１の構造は、ロータコア１に治具７を取り付けることが可能であれば、適宜変更可能である。
【００６２】
・各実施形態の製造装置及び製造方法は、インナロータに限らず、例えばアウターロータやアキシャルギャップロータの製造装置や製造方法に用いることもできる。また、各実施形態の製造装置及び製造方法は、ロータコア１に限らず、例えばブラシ付き直流モータに用いられ界磁用磁石が設けられたステータコア等、永久磁石が設けられた適宜のコアの製造装置及び製造方法に適用可能である。
【符号の説明】
【００６３】
ｎ…境界線、２…永久磁石、３…着磁装置、６…磁石素材、７…治具（第１治具）、９…第２治具、７０…空隙部（磁気障壁）、７１…磁気障壁部材、７２ａ，７２ｂ…円盤部材（治具）、８０…取り外し装置、８１…装着装置。
【図１】
2015139248.tif 000003
【図２】
2015139248.tif 000004
【図３】
2015139248.tif 000005
【図４】
2015139248.tif 000006
【図５】
2015139248.tif 000007
【図６】
2015139248.tif 000008
【図７】
2015139248.tif 000009
【図８】
2015139248.tif 000010
【図９】
2015139248.tif 000011
【図１０】
2015139248.tif 000012
【図１１】
2015139248.tif 000013
【図１２】
2015139248.tif 000014
【図１３】
2015139248.tif 000015
【図１４】
2015139248.tif 000016
【図１５】
2015139248.tif 000017
【図１６】
2015139248.tif 000018
【図１７】
2015139248.tif 000019
【図１８】
2015139248.tif 000020
【図１９】
2015139248.tif 000021
【図２０】
2015139248.tif 000022